(57)【要約】【課題】ファーストページ読み取り方式の画像読み取り装置が用いられた場合には、フェースダウンで用紙を排出でき、ブック原稿読み取り装置等が用いられた場合には、収容された用紙を取り出して裏返しにしなくてもユーザが画像の状態を目視できることを可能にする画像形成装置を提供すること。【解決手段】複写機は、ブックスキャナ部と、ファーストページ読み取り方式のスキャナ部を備えており、ブックスキャナ部が原稿の画像読み取りに用いられる場合には、画像形成後の用紙を、その表裏を反転させて、画像の面を上向きにして排出させる（ステップＳ９０１、９０２、９０４、９０５、９０６）。ファーストページ読み取り方式のスキャナ部が用いられる場合には、表裏を反転させずに、画像の面を下向きにして排出させる（ステップＳ９０１、９０３、９０４、９０５、９０７）。【選択図】  図１３
2004245891.tif 000002
【特許請求の範囲】
【請求項１】
原稿画像の読み取り様式が異なる複数の画像読み取り手段と接続され、読み取られた画像を記録シートに形成する画像形成装置であって、
画像形成後の記録シートを、画像面を下向きにして排出させる第１の画像形成モードと、画像面を上向きにして排出させる第２の画像形成モードを切り換えて画像形成動作を実行可能な画像形成手段と、
形成すべき画像の読み取りに用いられる画像読み取り手段の読み取り様式に応じて、第１または第２のいずれの画像形成モードを用いるかを決め、前記画像形成手段に、決められたモードで画像形成動作を実行させる制御手段と、
を備えることを特徴とする画像形成装置。
【請求項２】
前記異なる読み取り様式には、原稿の画像を原稿面の上方から読み取る第１の読み取り様式と、原稿面の下方から読み取る第２の読み取り様式が含まれ、
前記制御手段は、
前記画像読み取り手段の読み取り様式が、第１の読み取り様式の場合には、第２の画像形成モードを用い、第２の読み取り様式の場合には、第１の画像形成モードを用いるとすることを特徴とする請求項１に記載の画像形成装置。
【請求項３】
端末装置と、原稿画像を読み取って得られた画像データを端末装置へ送信する複数の画像読み取り装置と、前記端末装置からの画像データに基づいて画像を記録シートに形成する画像形成装置とがネットワークを介して接続される画像形成システムであって、
前記複数の画像読み取り装置は、それぞれが原稿画像の読み取り様式が異なる構成になっており、
前記画像形成装置は、
画像形成後の記録シートを、画像面を下向きにして排出させる第１の画像形成モードと、画像面を上向きにして排出させる第２の画像形成モードを切り換えて画像形成動作を実行可能な画像形成手段と、
前記画像形成手段に、前記端末装置から指示された画像形成モードで画像形成動作を実行させる制御手段と、を備え、
前記端末装置は、
受信した画像データの読み取りに用いられた画像読み取り装置の読み取り様式に応じて、第１または第２のいずれの画像形成モードを用いるかを決め、決められたモードを用いるべき画像形成モードとして前記画像形成装置に指示する指示手段を備えることを特徴とする画像形成システム。
【請求項４】
前記異なる読み取り様式には、原稿の画像を原稿面の上方から読み取る第１の読み取り様式と、原稿面の下方から読み取る第２の読み取り様式が含まれ、
前記指示手段は、
前記画像読み取り装置の読み取り様式が、第１の読み取り様式の場合には、第２の画像形成モードを用い、第２の読み取り様式の場合には、第１の画像形成モードを用いるとすることを特徴とする請求項３に記載の画像形成システム。
【発明の詳細な説明】
【０００１】
【発明の属する技術分野】
本発明は、画像形成装置および画像形成システムに関する。
【０００２】
【従来の技術】
例えば、複写機には、第１ページ、第２ページ・・の順に並べられたシート原稿をスキャナ部で第１ページから順に最終ページまで読み取って行き、第１ページから最終ページの順にその画像をプリンタ部で用紙に印刷して出力して行くものがある。
【０００３】
このような複写機では、排出された用紙のページ順を揃えるため、印刷された用紙を、その画像面を下向きにして排出させて排出トレイ上に収容させる構成になっている（以下、原稿を第１ページから読み取って行く方式を「ファーストページ読み取り方式」、画像面を下向きにして用紙を排出する方式を「フェースダウン排出方式」という。）。
【０００４】
ところで、近年では、例えば特許文献１に示すような、ブック原稿をその原稿面が上向きになるように見開きにしてセットし、その画像を上方から読み取る、いわゆる原稿上向きセットの画像読み取り装置（以下、「ブックスキャナ」という。）が開発されている。このブックスキャナを用いれば、大判の書籍、重い書籍等を逆さまにすることなく上向きに置いたままコピーできるので、操作性が大変良くなる。
【０００５】
このようなブックスキャナを上記複写機と接続すれば、ユーザは、通常のシート状の原稿については複写機のスキャナ部を用い、ブック原稿についてはブックスキャナを用いてコピーすることも可能になる。
【０００６】
【特許文献１】
特開２００１−２５７８４５号公報
【０００７】
【発明が解決しようとする課題】
ところで、ユーザは、ブック原稿をコピーする場合、１ページずつ原稿をめくっていきながらページ毎にコピー操作を行っていくことがほとんどであり、またブックは厚みと湾曲があるものなので、コピーが正しく行われたか不安に感じることが多く、実際に１ページ分のコピーが終わる毎に目で見て確認したいという要望が強い。
【０００８】
しかしながら、ブックスキャナがフェースダウン排出方式の複写機と接続される構成の場合、ブック原稿のコピーについても、出力される用紙は、その画像が下向きになって排出トレイに収容されることになる。したがって、ユーザは、収容された用紙を排出トレイから取り出して、さらに用紙を裏返して印刷された画像を目視しなければならず、その操作が手間となる。
【０００９】
本発明は、このような問題点に鑑みてなされたものであって、ファーストページ読み取り方式のスキャナが用いられた場合には、フェースダウンで用紙を排出でき、ブックスキャナが用いられた場合には、収容された用紙を取り出して裏返しにしなくてもユーザが画像の状態を目視できることを可能にする画像形成装置および画像形成システムを提供することを目的とする。
【００１０】
【課題を解決するための手段】
上記目的を達成するため、本発明に係る画像形成装置は、原稿画像の読み取り様式が異なる複数の画像読み取り手段と接続され、読み取られた画像を記録シートに形成する画像形成装置であって、画像形成後の記録シートを、画像面を下向きにして排出させる第１の画像形成モードと、画像面を上向きにして排出させる第２の画像形成モードを切り換えて画像形成動作を実行可能な画像形成手段と、形成すべき画像の読み取りに用いられる画像読み取り手段の読み取り様式に応じて、第１または第２のいずれの画像形成モードを用いるかを決め、前記画像形成手段に、決められたモードで画像形成動作を実行させる制御手段と、を備えることを特徴とする。
【００１１】
また、前記異なる読み取り様式には、原稿の画像を原稿面の上方から読み取る第１の読み取り様式と、原稿面の下方から読み取る第２の読み取り様式が含まれ、前記制御手段は、前記画像読み取り手段の読み取り様式が、第１の読み取り様式の場合には、第２の画像形成モードを用い、第２の読み取り様式の場合には、第１の画像形成モードを用いるとすることを特徴とする。
【００１２】
本発明の画像形成システムは、端末装置と、原稿画像を読み取って得られた画像データを端末装置へ送信する複数の画像読み取り装置と、前記端末装置からの画像データに基づいて画像を記録シートに形成する画像形成装置とがネットワークを介して接続される画像形成システムであって、前記複数の画像読み取り装置は、それぞれが原稿画像の読み取り様式が異なる構成になっており、前記画像形成装置は、画像形成後の記録シートを、画像面を下向きにして排出させる第１の画像形成モードと、画像面を上向きにして排出させる第２の画像形成モードを切り換えて画像形成動作を実行可能な画像形成手段と、前記画像形成手段に、前記端末装置から指示された画像形成モードで画像形成動作を実行させる制御手段と、を備え、前記端末装置は、受信した画像データの読み取りに用いられた画像読み取り装置の読み取り様式に応じて、第１または第２のいずれの画像形成モードを用いるかを決め、決められたモードを用いるべき画像形成モードとして前記画像形成装置に指示する指示手段を備えることを特徴とする。
【００１３】
また、前記異なる読み取り様式には、原稿の画像を原稿面の上方から読み取る第１の読み取り様式と、原稿面の下方から読み取る第２の読み取り様式が含まれ、前記指示手段は、前記画像読み取り装置の読み取り様式が、第１の読み取り様式の場合には、第２の画像形成モードを用い、第２の読み取り様式の場合には、第１の画像形成モードを用いるとすることを特徴とする。
【００１４】
【発明の実施の形態】
以下、本発明の実施の形態について図面を参照しながら説明する。
（第１の実施の形態）
（１）システムの全体構成
図１は、本実施の形態に係る画像形成システム１００の全体構成を示す図である。
【００１５】
同図に示すように、画像形成システム１００は、ブックスキャナ２００と、スキャナ３００、４００と、プリンタ５００と、端末装置６００とが、ネットワーク、ここではＬＡＮ（Ｌｏｃａｌ  Ａｒｅａ  Ｎｅｔｗｏｒｋ）１０を介してＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いて接続されて構成され、互いに各種データのやりとりが可能になっている。ここでは、ブックスキャナ２００、スキャナ３００、４００がプリンタ５００に隣接配置されているものとする。
【００１６】
以下、ブックスキャナ２００、スキャナ３００、プリンタ５００、端末装置６００の構成について説明する。
（２）ブックスキャナ２００の構成
ブックスキャナ２００は、図２に示すように、主な構成要素として、原稿台２０１、撮像カメラ部２０２、照明部２０３、操作パネル２０４、制御部２１０（破線）等を備えている。
【００１７】
原稿台２０１は、左右それぞれに個別に上下動可能になっており、ユーザは、ブック原稿を見開き、その画像を上向きにした状態で原稿台２０１上に載置することができる。
照明部２０３は、原稿台２０１に載置されたブック原稿を上方から照明し、撮像カメラ部２０２は、図示しないモータを駆動させることによりＣＣＤセンサ２０８を矢印Ａ方向に移動させながら、原稿からの反射光を、光学系２０７を介してＣＣＤセンサ２０８で受光し、光電変換することによって原稿の画像データを得る。この意味で、ブックスキャナ２００は、原稿画像を原稿面の上方から読み取る方式（以下、「第１の読み取り様式」という。）の画像読み取り装置であるといえる。
【００１８】
なお、読み取りの際には、ミラー２０５に写ったブック原稿の側面形状が、撮像カメラ部２０２内の光学系２０７を介してＣＣＤセンサ２０８によって読み取られ、原稿面の高さが検出される。そして、検出された原稿面の高さに基づき撮像カメラ部２０２における焦点合わせや、読み取った画像の歪み補正を行い、歪みのないブック原稿画像を得ることができる。
【００１９】
操作パネル２０４は、各種設定を行うためのものであり、スタートキー２０６は、読み取り動作を開始させるためのキーであり、ここではユーザがブック原稿を見開きの状態を保つために両手でその両辺を押さえたときでもキーを押すことができるように、原稿台２０１の左右端部にそれぞれ配置されている。
制御部２１０は、ＣＰＵ、ＲＯＭ等を備え、ユーザによりスタートキー２０６が押されると、撮像カメラ部２０２、照明部２０３等の各部を制御し、操作パネル２０４で設定された内容に基づく原稿の読み取り動作を円滑に実行させる。また、ＬＡＮ１０と接続するための通信インターフェース（ＬＡＮカード、ＬＡＮボード等）を備えており、見開き状態の原稿の画像面が１回読み取られる毎に（ユーザがページをめくってスタートキー２０６を押す毎に）、その読み取られた画像データを端末装置６００宛に送信する。その際、自己（ブックスキャナ２００）の読み取り様式を示す情報（読み取り様式情報。ここでは、読み取り様式が第１の読み取り様式であることを示す情報）を画像データのヘッダ部に付加する。
【００２０】
（３）スキャナ３００の構成
図３は、スキャナ３００の構成を示す図である。
同図に示すように、スキャナ３００は、原稿を搬送しながらその画像を読み取るシートスルースキャン方式の画像読み取り装置であって、原稿を手置きで載置して読み取りを行うこともできるものであり、原稿画像を原稿面の下方から読み取る方式（以下、「第２の読み取り様式」という。）の装置である。
【００２１】
スキャナ３００は、大きく分けて原稿を連続して搬送するための自動原稿搬送装置３０１と、その原稿を光学的に読み取るイメージスキャン部３１０とからなる。
自動原稿搬送装置３０１は、原稿給紙トレイ３０２、原稿給紙部３０３、原稿排出トレイ３０８等を備えており、原稿給紙トレイ３０２に載置されたシート原稿束（上から第１ページ、第２ページ・・・最終ページの順に、各ページで画像の面が上になるように並べられているものとする。）の各原稿を、原稿給紙部３０３において上から（第１ページの原稿から）１枚ずつ分離して給紙し、搬送ローラ３０４、レジストローラ３０５を介してイメージスキャン部３１０の原稿読取位置（シートスルー用プラテンガラス３０９の上面）を通過させ、排出ローラ３０６、３０７を介して原稿排出トレイ３０８に排出する。この意味で、スキャナ３００は、ファーストページ読み取り方式による装置である。
【００２２】
イメージスキャン部３１０は、照明部３１１、ミラー３１４、３１５、集光レンズ３１６、ＣＣＤセンサ３１７、制御部３２０および操作部３３０（破線）等を備えている。
照明部３１１には、原稿を照射する露光ランプ３１２と、当該原稿からの反射光を水平方向に反射するミラー３１３が設けられている。ミラー３１４は、ミラー３１３からの反射光をミラー３１５、集光レンズ３１６を介してＣＣＤセンサ３１７に導く。ＣＣＤセンサ３１７は、受光した原稿からの反射光を光電変換することによって原稿の画像データを得て、それを制御部３２０へ送る。
【００２３】
イメージスキャン部３１０の上面の、自動原稿搬送装置３０１と対向する位置には、シートスルー用プラテンガラス３０９と手置き用プラテンガラス３１９が設けられている。
シートスルースキャン方式で原稿を読み取る場合には、照明部３１１がシートスルー用プラテンガラス３０９下方のホーム位置（破線の位置）に移動し、この位置で自動原稿搬送装置３０１により搬送されてくる各原稿が照射されて、その画像が順次読み取られる。
【００２４】
また、手置きで原稿を載置して原稿読取を実行する場合には、自動原稿搬送装置３０１を上方に開放して、原稿が手置き用プラテンガラス３１９上にセットされると、照明部３１１、ミラー３１４、３１５が図の矢印Ａの方向に移動し、原稿の画像がスキャンされる。
操作部３３０は、装置前面のユーザが操作しやすい位置に配置されており、原稿読み取り開始を指示するためのスタートボタン等を備えている。
【００２５】
制御部３２０は、ＣＰＵ、ＲＯＭ等を備え、ＲＯＭから必要なプログラムを読み出して、自動原稿搬送装置３０１、イメージスキャン部３１０の各部を制御し、シートスルースキャンによる原稿の読み取り動作等を円滑に実行させる。また、ＬＡＮ１０と接続するための通信インターフェース（ＬＡＮカード等）を備えており、読み取られた画像データを順次端末装置６００宛に送信する。その際、自己（スキャナ３００）の読み取り様式情報（ここでは、読み取り様式が第２の読み取り様式であることを示す情報）を画像データのヘッダ部に付加する。
【００２６】
以上、スキャナ３００の構成について説明したが、スキャナ４００も同じ構成なので、ここでは説明を省略するものとする。
（４）プリンタ５００の構成
図４は、プリンタ５００の構成を示す図である。
同図に示すように、プリンタ５００は、画像形成部５１０、給紙部５３０、反転部５４０および制御部５６０等を備えている。本プリンタ５００は、外部機器、ここではブックスキャナ２００、スキャナ３００等から端末装置６００を介して送信されて来る画像データに基づいて、原稿の画像を第１ページから順に、用紙、ＯＨＰシート等の記録シート（以下、単に「用紙」という。）の片面もしくは両面に再現（プリント）する画像形成装置である。
【００２７】
プリンタヘッド５２０は、制御部５６０からのレーザダイオード駆動信号に基づいて、内部のレーザダイオード（不図示）を駆動してレーザビームを出射させる。当該レーザビームは、感光体ドラム５１１の表面を主走査方向に露光走査する。
画像形成部５１０は、感光体ドラム５１１、プリンタヘッド（ＰＨ）５２０等を備えており、感光体ドラム５１１の周囲には、帯電器５１２、現像器５１３、転写ローラ５１４及びクリーナ（不図示）等が配されている。感光体ドラム５１１は、上記レーザビームによる露光前にクリーナで残留トナーを除去され後、帯電器５１２により一様に帯電される。帯電された感光体ドラム５１１の表面がレーザビームにより露光されると、静電潜像が形成され、この静電潜像は、現像器５１３によってトナー像として顕像化される。
【００２８】
一方、給紙部５３０の給紙カセット５３１からは、ピックアップローラ５３２によって、用紙Ｓが給紙される。この用紙Ｓは、ガイド５３３から搬送経路５１８に案内されて、タイミングローラ５３４を介して感光体ドラム５１１直下の転写位置に搬送される。当該転写位置において、用紙Ｓは、回転する転写ローラ５１４によって感光体ドラム５１１に圧接されながら搬送される。その際、転写ローラ５１４に印加された転写電圧により発生した転写電界の作用により、感光体ドラム５１１上に形成されたトナー像が用紙Ｓへと転写される。
【００２９】
トナー像が転写された用紙Ｓは、定着器５１５に搬送され、ここで未定着のトナー画像が加熱圧着されて定着される。定着器５１５を通過した用紙Ｓは、用紙Ｓの片面にのみ画像形成を行う場合には、排出経路５１９、排出ローラ５１６を介して排出トレイ５１７上へと排出される。この場合、用紙Ｓの画像は下向き（フェースダウン）となる（以下、画像の面が下向きになるように画像形成後の用紙を排出させる動作を第１の画像形成モードによる画像形成動作ともいう。）。
【００３０】
一方、用紙Ｓの両面に画像形成を行う場合には、用紙Ｓは、反転部５４０の再給紙経路５４１に送られる。すなわち、画像形成された用紙Ｓの末端が排出ローラ５１６の間に位置している状態で排出ローラ５１６が逆回転するようになっており、これにより用紙Ｓが再給紙経路５４１に導かれるものである。
再給紙経路５４１に導かれた用紙Ｓは、搬送ローラ５４２、５４３、タイミングローラ５３４を介して、再度、転写位置まで搬送され、その裏面側に画像形成が行われ、その後、定着器５１５、排出ローラ５１６を介して排出トレイ５１７上に収容される。
【００３１】
また、この反転部５４０は、片面にのみ画像を形成する場合に、その用紙Ｓの表裏を反転させて排出させるための反転手段としても用いられる。すなわち、片面への画像形成後の用紙Ｓを、再給紙経路５４１を介して再度転写位置に送り、転写位置では裏面に画像形成を行わずにそのまま通過させて、定着器５１５、排出ローラ５１６を経て排出トレイ５１７に排出させるものである。この場合、用紙Ｓはその表裏が逆さまになって、すなわち画像が上向きの状態で排出トレイ５１７上に収容されることになる（以下、画像の面が上向きになるように画像形成後の用紙を排出させる動作を第２の画像形成モードによる画像形成動作ともいう。）。
【００３２】
このように画像形成後の用紙を反転させたり、反転させないで排出できる構成としているのは、次の理由による。すなわち、原稿読み取りに用いられたスキャナが、例えばブックスキャナ２００の場合には、用紙を反転させて排出すれば、排出トレイ５１７上において画像が上向きとなるので、ユーザは排出トレイ５１７を臨めばその画像の状態を目視で確認できる。一方で、スキャナ３００の場合に、用紙を反転させないで排出すれば、第１ページから最終ページの原稿の順にその画像が各用紙に形成されて行くため、排出トレイ５１７上においてページが揃えられることになり、ユーザにとって便宜となるからである。この用紙の反転、非反転の制御は、制御部５６０により行われる。
【００３３】
制御部５６０は、ＣＰＵ、ＲＯＭ等を備え、ＲＯＭから必要なプログラムを読み出して、画像形成部５１０等の各部を制御し、上記した画像形成動作を円滑に実行させる。また、ＬＡＮ１０と接続するための通信インターフェース（ＬＡＮカード等）を備えており、端末装置６００から送信されて来る画像データを受信すると、これをレーザダイオード駆動信号に変換し、プリンタヘッド５２０へ送り、レーザダイオードを駆動させる。
【００３４】
また、端末装置６００からの用紙反転もしくは非反転の指示に基づいて、用紙を反転または反転させないで排出させる制御を行う。具体的には、後述のように、端末装置６００は、画像データをプリンタ５００へ送出する際に、そのヘッダ部に、用紙の反転、非反転の指示を示す情報を用紙排出情報として付加するようにしており、制御部５６０は、画像形成動作に際し、受信した画像データのヘッダ部に付加されている当該情報を参照し、非反転の指示の場合には、第１の画像形成モードに、反転の指示の場合には、第２の画像形成モードに画像形成モードを切り換えて画像形成動作を実行させる。
【００３５】
（５）端末装置６００の構成
端末装置６００は、パーソナルコンピュータからなり、ＬＡＮ１０上のブックスキャナ２００、スキャナ３００等の画像読み取り装置からの画像データを受信し、受信した画像データを受信順にプリンタ５００に転送すると共にその画像データに基づくプリント処理を実行させる、いわゆるプリントサーバとしての機能を有した装置である。
【００３６】
図５は、端末装置６００の構成を示すブロック図である。
同図に示すように、端末装置６００は、主な構成要素として、本体部６１０、ディスプレイ６２０、キーボード６３０およびマウス６３１を備えている。
本体部６１０は、主な構成要素として、インターフェース（Ｉ／Ｆ）部６１１、ＣＰＵ６１２、ＲＯＭ６１３、表示制御部６１４、入力制御部６１５および記憶部６１６を備えている。
【００３７】
Ｉ／Ｆ部６１１は、ＬＡＮカード、ＬＡＮボードといったＬＡＮ１０に接続するためのインターフェースである。
ＣＰＵ６１２は、ＲＯＭ６１３に格納されている、後述の用紙排出設定処理、画像データ受信処理等を実行し、端末装置６００における全体の処理を統括制御する。表示制御部６１４は、ディスプレイ６２０の表示制御を行う。入力制御部６１５は、キーボード６３０、マウス６３１からの信号の入力を受け付ける。
【００３８】
記憶部６１６は、ハードディスク等の不揮発性の記憶装置からなり、用紙排出設定処理においてユーザにより設定された内容等の各種データを記憶する。
（６）端末装置６００における処理内容
図６は、端末装置６００において実行される処理内容を示すフローチャートである。
【００３９】
同図に示すように、端末装置６００は、用紙排出設定処理（ステップＳ１００）、画像データ受信処理（ステップＳ２００）、画像データ送信処理（ステップＳ３００）を順次実行する。
用紙排出設定処理は、プリンタ５００での画像形成の際に用紙を反転させるか反転させないかについて、ユーザ（ここでは、システムの管理者）からの設定の入力を受け付ける処理であり、当該処理において設定された内容が反転指示情報として、プリンタ５００に送出される画像データのヘッダ部に付加されることになる。
【００４０】
画像データ受信処理は、ブックスキャナ２００等からの画像データを受信する処理であり、画像データ送信処理は、受信した画像データをプリンタ５００に送信する処理である。以下、各処理を詳細に説明する。
図７は、用紙排出設定処理のサブルーチンの内容を示すフローチャートである。
【００４１】
同図に示すように、管理者からの用紙排出設定画面（図８）の表示指示、具体的には、ディスプレイ６２０に表示されている当該処理起動用のアイコン（不図示）がマウス６３１の操作によりクリックされたか否かを判断する（ステップＳ１０１で「ＹＥＳ」）。
表示指示があったことを判断すると（ステップＳ１０１で「ＹＥＳ」）、用紙排出設定画面７００をディスプレイ６２０に表示させる（ステップＳ１０２）。
【００４２】
図８は、用紙排出設定画面７００の表示例を示す図である。
同図に示すように、用紙排出設定画面７００には、読み取り様式欄と排出設定欄が設けられている。
読み取り様式欄には、上記した第１の読み取り様式（原稿画像を原稿面の上方から読み取る方式）に対応する「上方読み取り」と、第２の様式（原稿画像を原稿面の下方から読み取る方式）に対応する「下方読み取り」の２つ項目が設けられている。
【００４３】
排出設定欄には、画像を「上向きで排出」「下向きで排出」を示す文字列が表示され、現に設定されている方の文字列の下にアンダーバーが表示されるようになっている。同図の例では、上方読み取りの場合に「上向きで排出」が、下方読み取りの場合に「下向きで排出」が設定されていることになる。
各読み取り様式に対応する排出設定の内容は、管理者により予め登録されて記憶部６１６内の排出設定テーブル（不図示）に書き込まれているものであり、当該用紙排出設定画面７００は、当該テーブルに書き込まれている情報が読み出されて生成される。
【００４４】
管理者は、当該画面７００において、現在の設定内容を確認することができ、また、排出設定の上向き、下向きのいずれかの表示部分をマウス６３１の操作でクリックすることにより、その設定を変更することも可能である。すなわち、第１と第２の各読み取り様式について、画像の上向き排出と下向き排出のいずれかの排出方法を設定することができるものである。通常は、図８のように上方読み取り（第１の様式）の場合に上向き排出が、下方読み取り（第２の様式）の場合に、下向き排出が設定される。
【００４５】
端末装置６００は、完了ボタン７０１がクリックされると、設定確認、変更の操作が終了したとして、その内容を上記排出設定テーブルに上書き保存させて（ステップＳ１０３）、メインルーチンにリターンする。
図９は、画像受信処理のサブルーチンの内容を示すフローチャートである。
同図に示すように、いずれかの画像読み取り装置から画像データを受信すると（ステップＳ２０１で「ＹＥＳ」）、受信した画像データを一旦記憶部６１６に保存させる（ステップＳ２０２）。そして、その画像データの読み取りに用いられた画像読み取り装置の読み取り様式を当該画像データのヘッダ部に付加されている読み取り様式情報を参照して判別する（ステップＳ２０３）。
【００４６】
読み取り様式が第１の読み取り様式と判断した場合には（ステップＳ２０３で「ＹＥＳ」）、その排出設定が「上向きで排出」と「下向きで排出」のいずれであるかを、上記排出設定テーブルを参照して判断する（ステップＳ２０４）。図８の例の場合であれば、「上向きで排出」が設定されていると判断することになる。
【００４７】
上向きと判断すると（ステップＳ２０４で「ＹＥＳ」）、反転フラグを「１」にして（ステップＳ２０５）、メインルーチンにリターンする。
一方、下向きと判断すると（ステップＳ２０４で「ＮＯ」）、反転フラグを「０」にして（ステップＳ２０７）、メインルーチンにリターンする。
ステップＳ２０３で、読み取り様式が第１の読み取り様式でない、すなわち第２の読み取り様式であると判断した場合には（ステップＳ２０３で「ＮＯ」）、その排出設定が「上向きで排出」と「下向きで排出」のいずれであるかを、上記排出設定テーブルを参照して判断する（ステップＳ２０６）。図８の例の場合であれば、「下向きで排出」が設定されていると判断することになる。
【００４８】
下向きと判断すると（ステップＳ２０６で「ＮＯ」）、ステップＳ２０７に移り、上向きと判断すると（ステップＳ２０６で「ＹＥＳ」）、ステップＳ２０５に移る。
図１０は、画像送信処理のサブルーチンの内容を示すフローチャートである。
同図に示すように、まず記憶部６１６内に画像データが保存されているか否かを判断する（ステップＳ３０１）。保存されていることを判断すると（ステップＳ３０１で「ＹＥＳ」）、その画像データを読み出す（ステップＳ３０２）。
【００４９】
そして、画像受信処理において設定された反転フラグの値が「１」である場合には（ステップＳ３０３で「ＹＥＳ」）、画像を上向き排出させる、すなわち用いるべき画像形成モードを第２の画像形成モードと決め、読み出した画像データのヘッダ部に、画像を上向き排出させる旨の指示を示す情報を用紙排出情報として付加した後、その画像データをプリンタ５００に送信して（ステップＳ３０４）、メインルーチンにリターンする。
【００５０】
一方、反転フラグの値が「０」である場合には（ステップＳ３０３で「ＮＯ」）、用紙を下向き排出させる、すなわち用いるべき画像形成モードを第１の画像形成モードと決め、画像を下向き排出させる旨の指示を示す情報を用紙排出情報として付加し、その画像データをプリンタ５００に送信する（ステップＳ３０５）。この意味で、ステップＳ３０３、３０４、３０５等は、いずれの画像形成モードを用いるのかをプリンタに指示する指示手段としての機能を有するものである。
【００５１】
（７）プリンタ５００におけるプリント処理
図１１は、プリンタ５００の制御部５６０において実行されるプリント処理（用紙片面への画像形成動作）の内容を示すフローチャートである。
同図に示すように、まず端末装置６００からの画像データを受信すると（ステップＳ５０１）、その画像データに付加されている用紙排出情報を参照して、上向きと下向き指示のいずれであるかを判断する（ステップＳ５０２）。
【００５２】
上向き指示であることを判断すると（ステップＳ５０２で「ＹＥＳ」）、反転排出フラグを「１」にして（ステップＳ５０３）、用紙片面への画像形成を行う（ステップＳ５０５）。一方、上向き指示でない、すなわち下向き指示であることを判断すると（ステップＳ５０２で「ＮＯ」）、反転排出フラグを「０」として（ステップＳ５０４）、ステップＳ５０５に移る。
【００５３】
そして、反転排出フラグが「１」の場合には（ステップＳ５０６で「ＹＥＳ」）、画像形成後の用紙を再給紙経路５４１に導き、その表裏を反転させ、再度転写位置を通過させて排出トレイ５１７に排出させて（ステップＳ５０７）、当該処理を終了する。すなわち、第２の画像形成モードによる画像形成動作が実行されることになる。
【００５４】
一方、反転排出フラグが「１」でない、すなわち「０」の場合には（ステップＳ５０６で「ＮＯ」）、画像形成後の用紙をそのまま排出トレイ５１７に排出させる（用紙の表裏を反転させることなく排出させる）（ステップＳ５０８）。すなわち、第１の画像形成モードによる画像形成動作が実行されることになる。
このように本実施の形態では、ブックスキャナ２００が用いられた場合には、プリンタ５００において画像形成された用紙は、その画像が上向きになって排出トレイ５１７に収容されることになる。これにより、ユーザは排出トレイ５１７に収容された用紙を上から臨めば、その画像の状態を目視で確認することができ、従来のように画像が下向きになって収容されるため、いちいち用紙を排出トレイから取り出して裏返しにするといった操作を行わなくて済み、大変便利になる。
【００５５】
一方、スキャナ３００、４００が用いられた場合には、画像形成された用紙はその画像が下向きになって排出トレイ５１７に収容されることになる。そして、プリンタ５００は、第１ページから最終ページの原稿の順にその画像を各用紙に形成して行く構成であるから、排出トレイ５１７上においてページが揃えられることになり、ユーザにとっては、排出された用紙を手動でページ揃えするという手間が不要となり便宜となる。
【００５６】
（第２の実施の形態）
上記第１の実施の形態では、ブックスキャナ２００、スキャナ３００、４００、プリンタ５００、端末装置６００がネットワークを介して接続されてなるシステムの構成例を説明したが、本実施の形態では、ブックスキャナ、スキャナ、プリンタが画像形成装置（ここでは、複写機）の画像読み取り手段、画像形成手段として含まれる構成になっており、その点が第１の実施の形態と異なっている。
【００５７】
図１２は、本実施の形態における複写機８００の構成を示す図である。
同図に示すように、複写機８００は、主な構成要素として、制御部８０１、画像読み取り手段としてのブックスキャナ部８０２、スキャナ部８０３、画像形成手段としてのプリンタ部８０４および操作パネル８０５を備えている。
ブックスキャナ部８０２は、上記第１の実施の形態におけるブックスキャナ２００に相当するものであり、スキャナ部８０３は、スキャナ３００に相当するものである。すなわち、ブックスキャナ部８０２は、原稿画像をその原稿面の上方から読み取る方式（第１の読み取り様式）の画像読み取り手段であり、スキャナ部８０３は、原稿画像をその原稿面の下方から読み取る方式（第２の読み取り様式）の画像読み取り手段である。各装置で読み取られた画像データは、制御部８０１を介してプリンタ部８０４に送られる。
【００５８】
プリンタ部８０４は、上記プリンタ５００に相当するものであり、読み取られた画像データに基づいて画像形成すると共に、画像形成後の用紙を反転させて、または反転させないで排出させることができる。すなわち、第１と第２の画像形成モードを切り換えて画像形成動作を実行することが可能な構成になっている。
操作パネル８０５は、ここでは図示していないが、コピースタートキー、テンキーの他に、ブックスキャナ部８０２とスキャナ部８０３のいずれを用いるかを選択するための選択キー等を備える。
【００５９】
制御部８０１は、ＣＰＵ、ＲＯＭ等を備え、ＲＯＭから必要なプログラムを読み出して、ブックスキャナ部８０２、スキャナ部８０３、プリンタ部８０４の各部を制御し、画像読み取り、画像形成等の複写動作を円滑に実行させる。
また、ＥＥＰＲＯＭ等の不揮発性メモリ（不図示）を内蔵しており、当該メモリには、ブックスキャナ部８０２が用いられる場合（第１の読み取り様式による読み取りの場合）には「画像を上向きで排出」、スキャナ部８０３が用いられる場合（第２の読み取り様式による読み取りの場合）には「画像を下向きで排出」する旨の情報（用紙排出情報）が格納されている。当該用紙排出情報は、ユーザにより予め登録されて当該メモリに保存されているものである。
【００６０】
図１３は、制御部８０１が実行する複写処理の内容を示すフローチャートである。当該処理は、ユーザによりブックスキャナ部８０２とスキャナ部８０３のいずれを用いるのかの選択が行われており、その選択された装置に原稿がセットされた状態でコピースタートキーが押された際に実行される処理である。
同図に示すように、制御部８０１は、ブックスキャナ部８０２が選択されると、第１の読み取り様式による読み取りと判断し（ステップＳ９０１で「ＹＥＳ」）、上記不揮発性メモリを参照して、画像を上向きで排出させること、すなわち用いるべき画像形成モードを第２の画像形成モードとすることを決め、排出反転フラグを「１」とする（ステップＳ９０２）。そして、ブックスキャナ部８０２に原稿画像を読み取らせ、プリンタ部８０４に、その読み取った画像データに基づく画像形成を行わせる複写動作を実行する（ステップＳ９０４）。
【００６１】
一方、スキャナ部８０３が選択されると、第２の読み取り様式による読み取りと判断し（ステップＳ９０１で「ＮＯ」）、画像を下向きで排出させる、すなわち用いるべき画像形成モードを第１の画像形成モードと決め、排出反転フラグを「０」として（ステップＳ９０３）、ステップＳ９０４で、スキャナ部８０３に原稿画像を読み取らせ、プリンタ部８０４に、その読み取った画像データに基づく画像形成を行わせる。
【００６２】
以下、ステップＳ９０５〜Ｓ９０７の動作については、上記ステップＳ５０６〜Ｓ５０８と同じである。すなわち、反転排出フラグが「１」の場合には、画像形成後の用紙を、その表裏を反転させて排出トレイ５１７に排出させる（第２の画像形成モードで画像形成動作を実行させる。）。一方、反転排出フラグが「０」の場合には、画像形成後の用紙をそのまま排出トレイ５１７に排出させる（第１の画像形成モードで画像形成動作を実行させる。）。
【００６３】
このように、複写機が、ブックスキャナ２００、スキャナ３００、プリンタ５００と同機能を有する画像読み取り手段と画像形成手段を有する構成とすることにより、第１の実施の形態と同様の効果、すなわちブック原稿の複写の場合には、ユーザは画像の状態をすぐに確認でき、シート原稿の場合には、排出トレイ５１７上においてページが揃えられるようになり、ユーザにとって便利になるという効果を得ることができる。
【００６４】
なお、上記では、用いるべき画像形成モードを、読み取り動作が開始される前に決めるとしたが、例えば読み取り動作を開始してから、画像形成動作の開始までの間に決める構成としても良い。すなわち、画像形成動作が開始されるまでに、形成すべき画像の読み取りに用いられる画像読み取り手段に応じていずれかの画像形成モードを決める構成であれば良い。
【００６５】
また、上記では、画像の読み取りに用いるスキャナをユーザが選択キーを用いて選択するとしたが、例えば双方のスキャナに原稿のセットを検知するセンサを設け、原稿のセットが検知された方のスキャナを、読み取りに用いられるスキャナ（ユーザにより選ばれた画像読み取り手段）と判断することもできる。
なお、本発明は、画像形成装置、画像形成システムに適用されるだけでなく、上記したような画像読み取り装置の読み取り様式に応じて画像形成モードを切り換えるいう方法、当該方法をコンピュータにより実現するプログラムであるとしても良い。
【００６６】
また、本発明に係るプログラムは、例えば磁気テープ、フレキシブルディスク等の磁気ディスク、ＤＶＤ、ＣＤ−ＲＯＭ、ＣＤ−Ｒ、ＭＯ、ＰＤなどの光記録媒体、Ｓｍａｒｔ  Ｍｅｄｉａ（登録商標）などのフラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６７】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００６８】
（変形例）
以上、本発明を実施の形態に基づいて説明してきたが、本発明は、上述の実施の形態に限定されないのは勿論であり、以下のような変形例が考えられる。
（１）上記実施の形態では、読み取り様式が異なる画像読み取り装置（手段）として、ブックスキャナとシートスルー方式のスキャナを例に上げて説明したが、これらに限定されるものではない。
【００６９】
例えば、自動原稿搬送装置を備えておらず、ユーザが原稿を１枚ずつ手動でプラテンガラス上にセット、交換しなければならない様式（以下、「第３の読み取り様式」とする。）のスキャナが考えられる。
このような原稿手置きスキャナが用いられる場合、ブックスキャナの場合と同様に、用紙を反転させて排出させる方がユーザにとって便宜である。これは、次の理由による。すなわち、上記スキャナの場合、ユーザは、原稿をプラテンガラス上の所定の読み取り位置に正確に手置きしなければならず、特にブック原稿の場合には見開きにした状態で裏返してセットすることになるため位置合わせが難しく、画像形成後の用紙が排出される毎に正しく複写されたかどうかを確認したくなる場合が生じ易くなり、さらに、１枚ずつ原稿をセットする構成のため、ページ揃えを意識することが少ないと考えられるからである。
【００７０】
上記原稿手置きスキャナを、第１の実施の形態におけるシステムに接続する場合には、当該スキャナと端末装置を次のように構成すれば良い。すなわち、当該スキャナでは、読み取った画像データのヘッダ部に、自己が第３の読み取り様式であることを示す情報を付加して、端末装置６００に送信する。
一方、端末装置６００では、第１、２に加えて、さらに第３の様式に対する用紙排出設定（図８）を受付ける。ユーザにより「上向きで排出」が設定された場合、当該スキャナからの画像データをプリンタ５００に送信する際に、ブックスキャナの場合と同様に、用紙を上向き排出させる旨の指示を示す情報をヘッダ部に付加する。
【００７１】
また、第２の実施の形態における複写機８００に当該スキャナが備えられる構成とする場合には、上記メモリに、当該スキャナが用いられる場合（第３の読み取り様式による読み取りの場合）には「用紙を上向きで排出」する旨の情報を格納しておき、当該スキャナが用いられる場合に、当該情報を読み出して、用いるべき画像形成モードを第２の画像形成モードと決めれば良い。
【００７２】
（２）また、例えばスキャナ３００を、シートスルースキャン方式による読み取り手段と、手置き方式による読み取り手段の、２つの手段（装置）を備えるものとしてとらえ、当該シートスルースキャン方式による読み取り手段を第２の読み取り様式によるものとし、当該手置き方式による読み取り手段を第３の読み取り様式によるものとして、上向き排出、下向き排出を切り換えるとしても良い。
【００７３】
（３）上記第２の実施の形態では、複写機８００がブックスキャナ部８０２とスキャナ部８０３を備える構成としたが、ブックスキャナ部８０２とスキャナ部８０３をそれぞれ単体の画像読み取り装置とし、これらが画像形成装置（制御部８０１、プリンタ部８０４および操作パネル８０５を備えるもの）と接続される構成としても良い。
【００７４】
（４）上記実施の形態では、プリンタ５００（プリンタ部８０４）が画像形成後の用紙を反転させる反転部を備える構成としたが、第１と第２の画像形成モードを切り換えて画像形成動作を実行できる構成であれば、必ずしも反転部を備える構成には限定されない。
例えば、図４のプリンタ５００の再給紙経路５４１を残して反転部５４０を取り除くと共に、残存する再給紙経路５４１（上側）と排出経路５１９の接続部分に、画像形成後の用紙を、排出ローラ５１６の方向（同図左方向）または再給紙経路５４１（同図右方向）のいずれかの方向に切り換えて搬送、排出させるための分岐部と、再給紙経路５４１を通過して排出された用紙を収容するための第２の排出トレイを設ける構成が考えられる。
【００７５】
この場合、用紙片面への画像形成のみが実行でき、第１の画像形成モードによる画像形成動作の実行時には、画像形成後の用紙を分岐部から左方向に向けて搬送させ、排出ローラ５１６を介して排出トレイ５１７に排出させる。また、第２の画像形成モードによる画像形成動作の実行時には、分岐部から右方向に向けて搬送させ、再給紙経路５４１を介して第２の排出トレイに排出させれば、第２の排出トレイに、用紙を、その画像面を上向きにして収容させることができる。
【００７６】
（５）さらに、上記（４）の構成の他にも次のような構成も考えられる。
すなわち、図４のプリンタ５００において、搬送経路５１８を介して対向するように第１と第２の画像形成部を設け、第１の画像形成部が搬送経路５１８を搬送される用紙の一方の面に画像を形成でき、第２の画像形成部が他方の面に画像を形成できるように構成する。例えば、搬送経路５１８の同図左側に第１の画像形成部を、右側に第２の画像形成部を配置した場合、第１の画像形成モードによる画像形成動作の実行の際に第１の画像形成部を用いれば、排出トレイ５１７に、用紙を、その画像面を下向きにして収容させることができる。また、第２の画像形成モードによる画像形成動作の実行の際に第２の画像形成部を用いれば、その画像面を上向きにして収容させることができる。
【００７７】
（６）上記実施の形態では、ブックスキャナ２００、プリンタ５００等がＬＡＮ１０に接続されるとしたが、ネットワークとしてはＬＡＮに限定されず、例えばインターネット、ＷＡＮ等を用いることができる。
【００７８】
【発明の効果】
以上説明したように、本発明に係る画像形成装置は、原稿画像の読み取り様式が異なる複数の画像読み取り手段と接続され、読み取られた画像を記録シートに形成する画像形成装置であって、画像形成後の記録シートを、画像面を下向きにして排出させる第１の画像形成モードと、画像面を上向きにして排出させる第２の画像形成モードを切り換えて画像形成動作を実行可能な画像形成手段と、形成すべき画像の読み取りに用いられる画像読み取り手段の読み取り様式に応じて、第１または第２のいずれの画像形成モードを用いるかを決め、前記画像形成手段に、決められたモードで画像形成動作を実行させる制御手段と、を備えている。
【００７９】
これにより、画像読み取り手段それぞれについて、当該画像読み取り手段が使用された場合に、画像形成後の用紙を、その画像面を上向き、または下向きにして排出させることが可能になる。したがって、例えばブックスキャナが用いられた場合にだけ、用紙を、その画像面を上向きにして排出させることもできる。これにより、ユーザは、排出トレイ上に収容された用紙を上から臨めばその画像の状態をすぐに目視で確認することができ、収容された用紙を取り出して裏返しにするといった手間をかけなくても済み便利になる。
【００８０】
また、前記異なる読み取り様式には、原稿の画像を原稿面の上方から読み取る第１の読み取り様式と、原稿面の下方から読み取る第２の読み取り様式が含まれ、前記制御手段は、前記画像読み取り手段の読み取り様式が、第１の読み取り様式の場合には、第２の画像形成モードを用い、第２の読み取り様式の場合には、第１の画像形成モードを用いるとしている。
【００８１】
例えば、第１の読み取り様式の画像読み取り手段をブックスキャナ、第２の読み取り様式の画像読み取り手段をファーストページ読み取り方式のスキャナとすれば、ユーザは、ブックスキャナを用いた場合、排出トレイ上に収容された用紙を上から臨めばその画像の状態をすぐに確認することができる。また、ファーストページ読み取り方式のスキャナを用いた場合、排出トレイ上においてページが揃えられることになり、ユーザにとっては、排出された用紙を手動でページ揃えするという手間が不要となり便宜となる。
【００８２】
本発明に係る画像形成システムは、端末装置と、原稿画像を読み取って得られた画像データを端末装置へ送信する複数の画像読み取り装置と、前記端末装置からの画像データに基づいて画像を記録シートに形成する画像形成装置とがネットワークを介して接続される画像形成システムであって、前記複数の画像読み取り装置は、それぞれが原稿画像の読み取り様式が異なる構成になっており、前記画像形成装置は、画像形成後の記録シートを、画像面を下向きにして排出させる第１の画像形成モードと、画像面を上向きにして排出させる第２の画像形成モードを切り換えて画像形成動作を実行可能な画像形成手段と、前記画像形成手段に、前記端末装置から指示された画像形成モードで画像形成動作を実行させる制御手段と、を備え、前記端末装置は、受信した画像データの読み取りに用いられた画像読み取り装置の読み取り様式に応じて、第１または第２のいずれの画像形成モードを用いるかを決め、決められたモードを用いるべき画像形成モードとして前記画像形成装置に指示する指示手段を備えている。
【００８３】
これにより、画像読み取り装置それぞれについて、当該画像読み取り装置が使用された場合に、画像形成後の用紙を、その画像面を上向き、または下向きにして排出させることが可能になる。したがって、例えばブックスキャナが用いられた場合にだけ、用紙を、その画像面を上向きにして排出させることもできる。これにより、ユーザは、排出トレイ上に収容された用紙を上から臨めばその画像の状態をすぐに目視で確認することができ、収容された用紙を取り出して裏返しにするといった手間をかけなくても済み便利になる。
【００８４】
また、前記異なる読み取り様式には、原稿の画像を原稿面の上方から読み取る第１の読み取り様式と、原稿面の下方から読み取る第２の読み取り様式が含まれ、前記指示手段は、前記画像読み取り装置の読み取り様式が、第１の読み取り様式の場合には、第２の画像形成モードを用い、第２の読み取り様式の場合には、第１の画像形成モードを用いるとしている。
【００８５】
これにより、例えば、第１の読み取り様式の画像読み取り装置をブックスキャナ、第２の読み取り様式の画像読み取り装置をファーストページ読み取り方式のスキャナとすれば、ユーザは、ブックスキャナを用いた場合、排出トレイ上に収容された用紙を上から臨めばその画像の状態をすぐに確認することができる。また、ファーストページ読み取り方式のスキャナを用いた場合、排出トレイ上においてページが揃えられることになり、ユーザにとっては、排出された用紙を手動でページ揃えするという手間が不要となり便宜となる。
【図面の簡単な説明】
【図１】第１の実施の形態に係る画像形成システムの全体構成を示す図である。
【図２】ブックスキャナの構成を示す図である。
【図３】スキャナの構成を示す図である。
【図４】プリンタの構成を示す図である。
【図５】端末装置の構成を示すブロック図である。
【図６】端末装置において実行される処理内容を示すフローチャートである。
【図７】用紙排出設定処理のサブルーチンの内容を示すフローチャートである。
【図８】用紙排出設定画面の表示例を示す図である。
【図９】画像受信処理のサブルーチンの内容を示すフローチャートである。
【図１０】画像送信処理のサブルーチンの内容を示すフローチャートである。
【図１１】プリンタの制御部において実行されるプリント処理の内容を示すフローチャートである。
【図１２】第２の実施の形態における複写機の構成を示す図である。
【図１３】上記複写機の制御部が実行する複写処理の内容を示すフローチャートである。
【符号の説明】
１０      ネットワーク（ＬＡＮ）
１００      画像処理システム
２００      ブックスキャナ
２１０、３２０、５６０、８０１      制御部
３００、４００      スキャナ
５００      プリンタ
５１０      画像形成部
５１７      排出トレイ
５４０      反転部
６００      端末装置
６１２      ＣＰＵ
８００      複写機
８０２      ブックスキャナ部
８０３      スキャナ部
８０４      プリンタ部
【図１】
2004245891.tif 000003
【図２】
2004245891.tif 000004
【図３】
2004245891.tif 000005
【図４】
2004245891.tif 000006
【図５】
2004245891.tif 000007
【図６】
2004245891.tif 000008
【図７】
2004245891.tif 000009
【図８】
2004245891.tif 000010
【図９】
2004245891.tif 000011
【図１０】
2004245891.tif 000012
【図１１】
2004245891.tif 000013
【図１２】
2004245891.tif 000014
【図１３】
2004245891.tif 000015